(57)【要約】【課題】構造を大幅に変えることなくスクリーンスピーカシステムの再生周波数帯域を広げること。【解決手段】投影機にて映像を投射するスクリーン１２を有し、スクリーン１２を駆動して、スクリーン１２から音を放出するスクリーンスピーカシステム１０において、スクリーン１２を駆動する駆動体５０と、スクリーン１２を駆動する圧電素子であって、駆動体５０における再生周波数帯域より高い周波数帯域にて再生する、少なくとの１つ以上の圧電素子７０とを備えるようにする。【選択図】  図１１
2006319626.tif 000002
【特許請求の範囲】
【請求項１】
投影機にて映像を投射するスクリーンを有し、上記スクリーンを駆動して、上記スクリーンから音を放出するスクリーンスピーカシステムにおいて、
上記スクリーンを駆動する駆動体と、上記スクリーンを駆動する圧電素子であって、上記駆動体における再生周波数帯域より高い周波数帯域にて再生する、少なくとも１つ以上の圧電素子と、を備えることを特徴とするスクリーンスピーカシステム。
【請求項２】
前記駆動体をボイスコイルと磁気回路で構成すると共に、上記ボイスコイルと前記圧電素子は、共有した入力信号を有し、上記ボイスコイルには、第１の増幅器によって増幅された第１の信号が入力され、且つ、前記圧電素子には、上記第１の増幅器とは別の第２の増幅器によって増幅された第２の信号が入力され、前記圧電素子の入力側に、上記入力信号の周波数帯域の内、少なくとも高周波側を通すフィルタ回路を備えることを特徴とする請求項１記載のスクリーンスピーカシステム。
【請求項３】
前記フィルタ回路は、前記入力信号の周波数帯域の内、所定の周波数帯域のみを通すバンドフィルタを有することを特徴とする請求項２記載のスクリーンスピーカシステム。
【請求項４】
前記フィルタ回路の出力は、前記第２の増幅器の入力に接続されていることを特徴とする請求項２または３記載のスクリーンスピーカシステム。
【請求項５】
前記圧電素子は、前記第２の増幅器の出力側に、少なくとも２つ以上並列に接続されていることを特徴とする請求項２から４のいずれか１項記載のスクリーンスピーカシステム。
【発明の詳細な説明】
【技術分野】
【０００１】
本発明は、外部から投射された映像を映し出すスクリーンから音を放出するスクリーンスピーカシステムに関する。
【背景技術】
【０００２】
近年、より迫力ある映像を提供するために、ホームシアターシステムにおいては、当該映像を映し出すためのスクリーンが大型化しつつあり、それに伴う臨場感あふれる音響システムも要求されている。その要求に応えるべく、音響システムにおいては、ステレオ出力よりも、より立体的で臨場感のある音響効果を得ることができる５．１チャンネルのシステムが採用されている。スクリーンスピーカシステムの場合、５．１チャンネルのシステムに対応させて、スクリーンの中央に配置されたボイスコイルにセンタースピーカ用の信号を加え、その左右に配置されたボイスコイルに左右チャンネル用の信号を加えて、スクリーンの前方より音を放出させている。このようなタイプのスクリーンスピーカシステムとしては、例えば、特許文献１に開示されているものが知られている。
【０００３】
【特許文献１】特開２００５−６４９３２号公報（図２１〜図２３）
【発明の開示】
【発明が解決しようとする課題】
【０００４】
特許文献１記載のスクリーンスピーカシステムでは、スクリーンを筐体によって保持し、当該筐体を中桟によって３つの領域に分割し、当該分割された領域のスクリーンの裏側面にボイスコイルを配置させ、且つ、筐体側に上記ボイスコイルを駆動させるための磁気回路を配置させることにより、上記スクリーンを駆動させている。
【０００５】
しかしながら、特許文献１記載のスクリーンスピーカシステムでは、分割された各領域は１つのボイスコイルにより駆動されている。このため、該駆動力のみでは、再生周波数帯域における高音域の再生音が不足するという欠点を有している。この欠点を解決するためには、高音域の再生を補うために、スクリーンスピーカシステムの左右にサイドスピーカを併用せざるを得ない。
【０００６】
また、スクリーンの大型化が要求され、スクリーンの外形寸法を大きくする場合、サイドスピーカは、スクリーンの中央部から離れた位置に配置されるため、結果的にスクリーンの中央部における高音域の再生を十分に補うことができない。そのため、スクリーンの中央部は、高音域の再生能力が不足するという問題を有する。
【０００７】
本発明は上記の問題に鑑みてなされたもので、その目的とするところは、高性能で、且つ、広い再生周波数帯域で駆動するスクリーンスピーカシステムを提供しようとするものである。
【課題を解決するための手段】
【０００８】
上記課題を解決するために、本発明は、投影機にて映像を投射するスクリーンを有し、スクリーンを駆動して、スクリーンから音を放出するスクリーンスピーカシステムにおいて、スクリーンを駆動する駆動体と、そのスクリーンを駆動する圧電素子であって、駆動体における再生周波数帯域より高い周波数帯域にて再生する、少なくとの１つ以上の圧電素子と、を備えるものである。
【０００９】
また、他の発明は、上述の発明に加えて更に、駆動体をボイスコイルと磁気回路で構成すると共に、ボイスコイルと圧電素子は、共有した入力信号を有し、ボイスコイルには、第１の増幅器によって増幅された第１の信号が入力され、且つ、圧電素子には、第１の増幅器とは別の第２の増幅器によって増幅された第２の信号が入力され、圧電素子の入力側に、入力信号の周波数帯域の内、少なくとも高周波側を通すフィルタ回路を備えるものである。
【００１０】
また、他の発明は、上述の発明に加えて更に、フィルタ回路は、入力信号の周波数帯域内の、所定の周波数帯域のみを通すバンドフィルタを有するものである。
【００１１】
また、他の発明は、上述の発明に加えて更に、フィルタ回路の出力は、第２の増幅器の入力に接続されているものである。
【００１２】
さらに、他の発明は、上述の各発明に加えて更に、圧電素子は、第２の増幅器の出力側に、少なくとも２つ以上並列に接続されているものである。
【発明の効果】
【００１３】
本発明によると、高性能で、且つ、広い周波数帯域で駆動するスクリーンスピーカシステムを提供することができる。
【発明を実施するための最良の形態】
【００１４】
以下、本発明の一実施の形態に係るスクリーンスピーカシステム１０について、図１から図１３に基づいて説明する。図１は、本発明の一実施の形態に係るスクリーンスピーカシステム１０を示す斜視図であり、図２は、スクリーンスピーカシステム１０からスクリーン１２を取り除いた状態を示す斜視図である。図３は、駆動体５０近傍の部分を示すであり、（ａ）は、駆動体５０を分解した状態を示す断面図であり、（ｂ）は、駆動体５０を組み立てた状態を示す断面図である。また、図４は、スクリーンスピーカシステム１０を構成する筐体１４を示す斜視図であり、図５は、図３中の筐体１４を構成する裏板１５を示す斜視図である。図６は、裏板１５を枠体１６に装着する状態を示す分解斜視図であり、図７は、図６中の矢示Ｅで示す部分の拡大図である。図８は、図１中のＫ−Ｋ線で切断した部分の部分断面図であり、図９は、磁気回路ハウジング４０を上方から見た場合の斜視図である。図１０は、駆動体５０の構成を示す図であり、（ａ）は、駆動体５０の分解斜視図であり、（ｂ）は、駆動体５０を組み立てた状態で、裏板１５の側から見た場合の斜視図である。図１１は、図１中のＮ−Ｎ線で切断した断面図である。図１２は、スクリーンスピーカ１０において用いられるボイスコイル５２と圧電素子７０の位置関係を示す概略図である。図１３は、スクリーンスピーカシステム１０の駆動回路７４の構成を示す図である。図１４は、スクリーンスピーカシステム１０の周波数特性を示す図であり、（ａ）は、スクリーンスピーカシステム１０を駆動体５０のみによって駆動させた場合を示す図であり、（ｂ）は、スクリーンスピーカシステム１０を、圧電素子７０のみによって駆動させた場合を示す図であり、（ｃ）は、スクリーンスピーカシステム１０を、駆動回路７４を用いて駆動させた場合を示す図である。なお、図１、図４、図５において、一端側とは左斜め上方を指し、他端側とは右斜め下方を指す。また、図２、図３において、一端側とは左側を指し、他端側とは右側を指すものとする。また、本実施の形態では、スクリーンを駆動させるための駆動体としては、磁気回路３０とボイスコイル５２とを有する駆動体５０が採用されており、また、ハウジングとしては磁気回路３０を保持するための磁気回路ハウジング４０が採用されている。
【００１５】
スクリーンスピーカシステム１０は直接駆動型のスクリーンスピーカシステムであり、図１、図２、図３および図１２に示すように、外部からの映像を映し出すスクリーン１２と、スクリーン１２を保持する筐体１４と、スクリーン１２を振動させる駆動体５０と、駆動体５０を構成する磁気回路３０と、磁気回路３０を保持する磁気回路ハウジング４０と、スクリーン１２を駆動体５０と比較して高周波帯域において振動させる圧電素子７０と、から主に構成されている。
【００１６】
筐体１４は、図４に示すように、３枚の裏板１５と、当該３枚の裏板１５を囲う枠体１６とから構成されている。裏板１５は、長方形の形状をした板状部材であり、ラワンを芯材とし、その表面にシナを重ね合わせた厚さ４ｍｍの合板となっており、さらにその表面には厚さ１ｍｍのアルミニウム板が接着されている。したがって、裏板１５は、表面にアルミニウム板を有する厚さ５ｍｍの合板となっている。また、枠体１６は、長方形の形状をした枠部材となる側枠１７と、その側枠１７の内側に長方形の短手方向に沿って配置される中桟１８とから構成されている。側枠１７および中桟１８は、アッシュ材を任意の厚さに削りだして３枚積層させた合板からなっている。
【００１７】
側枠１７は、図４に示すように、裏板１５の外縁に対して上方に配置されており、当該側枠１７の長手方向を構成する２つの長手側枠１７ａ，１７ａと、側枠１７の短手方向を構成する２つの短手側枠１７ｂ，１７ｂとから構成されている。なお、図中、長手側枠１７ａおよび短手側枠１７ｂは、それぞれ１７（１７ａ）および１７（１７ｂ）で示されている。中桟１８は、上述したように、側枠１７の内側に短手方向に向かって２本配置され、側枠１７の内側の領域を長手方向に沿って等間隔に３分割している。また、中桟１８の両端の端面は共に、長手側枠１７ａに接着剤により接合されており、枠体１６の強度を向上させる役割を果たしている（図４参照）。
【００１８】
また、枠体１６は、側枠１７の内側に中桟１８を取り付けることにより形成され、その後、図６に示すように、当該枠体１６の裏側から３枚の裏板１５が、中桟によって分割された３つの領域の裏側を塞ぐ形でそれぞれ配置される。図６において矢示Ｅで指す部分は、側枠１７の断面形状を示している。図７に示すように、スクリーン１２を筐体１４に装着する側である側枠１７の表側には、側枠１７の内周面１７ｃから外周面１７ｄに向かう途中の所定の位置にかけて溝加工を施した段部１７ｅが長手方向に沿って形成されている。裏板１５が取り付けられる側枠１７の裏側は、平坦な面となっており特に加工は施されていない。また、長手側枠１７ａの内側における所定の位置には、中桟１８が嵌まり込むための不図示の溝部が形成されている。
【００１９】
スクリーン１２は、側枠１７に設けられた段部１７ｅに嵌め込む形で取り付けられる。また、裏板１５は枠体１６の複数の箇所にネジ止めすることによって取り付けられる。以上のようにスクリーン１２および裏板１５が枠体１６に取り付けられた状態におけるスクリーンスピーカシステム１０の外縁部分の断面は、図８に示すような状態となっている。
【００２０】
さらに、各裏板１５の中央には、スクリーンスピーカシステム１０の裏側からスクリーンスピーカシステム１０の内部に、後述する磁気回路３０を挿入するための挿入孔１５ｍが、それぞれ設けられている（図５参照）。また、挿入孔１５ｍの外周縁には、磁気回路３０を保持するための磁気回路ハウジング４０を裏板１５に固定するための取り付け孔１５ｒ（図３参照）が、周方向に沿って４５度間隔で８個設けられている。また、各裏板１５における下端面１５ｐの近傍には、挿入孔１５ｍの中心を通り、短手方向に向かう中心線に対して左右対称となるように２つの端子用孔１５ｑが設けられている（図５参照）。当該端子用孔１５ｑは、ボイスコイル５２および圧電素子７０に電圧を伝達するための入力端子用基板（不図示）を配置するための孔である。すなわち、各裏面１５には、２つの端子用孔１５ｑが設けられていることとなる。
【００２１】
本実施の形態では、図２に示すように、筐体１４において２つの中桟１８により３つの等しい体積に分割された分割部１４ａのそれぞれに、磁気回路３０を保持するための磁気回路ハウジング４０が配置されている。
【００２２】
磁気回路３０は、図３（ａ）に示すように、ホルダ３１と、磁気発生手段となるマグネット３２とから構成されている。ホルダ３１は、載置ホルダ３１ａと、保持ホルダ３１ｂとから構成されている。なお、図中、載置ホルダ３１ａおよび保持ホルダ３１ｂは、それぞれ、３１（３１ａ）および３１（３１ｂ）で示されている。載置ホルダ３１ａは、図３（ａ）に示すように、有底円盤状の底部３１ｃの中央から円柱状の円柱部３１ｄが、図３（ａ）における下方に突出するように形成されている。また、保持ホルダ３１ｂは、円板の中央に円柱部３１ｄが挿通できる大きさの円孔３１ｅを有する形状となっている。そして、リング状のマグネット３２を円柱部３１ｄに挿通させ、その下方から、保持ホルダ３１ｂを載置ホルダ３１の円柱部３１ｄに挿通させて、マグネット３２を載置ホルダ３１ａの底部３１ｃに対して係止させる。また、保持ホルダ３１ｂに形成されている円孔３１ｅの内周面と円柱部３１ｄの外周面との間には空隙部３０ｄが形成されている。以上のようにして、磁気回路３０は形成される。
【００２３】
磁気回路ハウジング４０は、その内部に磁気回路３０を配置させ、当該磁気回路３０を筐体１４に対して保持するための保持体である。また、磁気回路ハウジング４０は、裏板１５に設けられた挿入孔１５ｍの上方に位置するように配置し、裏板１５の裏側から取り付け孔１５ｒを介してネジ止めすることによって枠体１６に対して固定される。裏板１５に対してそれぞれ１つずつの磁気回路ハウジング４０が配置されるため、合計３つの磁気回路ハウジング４０が、筐体１４の内部に配置されることとなる。磁気回路ハウジング４０の外形は、図９に示すように、正面が正八角形をした正八面体となっている。図９において、上方の面を上面４０ａ、下方の面を下面４０ｂとすると、上面４０ａの外縁には、正八角形のそれぞれの辺に対応するように計８つの突出部４０ｃが溝により分離されて設けられている。そして、それぞれの突出部４０ｃの内側には、磁気回路ハウジング４０の中心軸線Ｍ−Ｍを中心とした円周を形成するようなテーパ部４０ｄが形成されている。
【００２４】
また、磁気回路ハウジング４０には、図３（ａ）および図９に示すように、中心軸線Ｍ−Ｍを中心とした円孔４１が設けられている。円孔４１は、上面４０ａから下面４０ｂに向かって順に、小径円孔部４１ａ、小径円孔部４１ａよりも大径となる中径円孔部４１ｂ、中径円孔部４１ｂよりも大径となる大径円孔部４１ｃとから構成されている。大径円孔部４１ｃは、実質的には円周状の突起部４１ｄの内側に形成されており、突起部４１ｄの外側は、全周に亘って削り取られた形となっている。また、削り取られた部分は、段部４１ｅとなっている。段部４１ｅは、図３（ａ）において、中径円孔部４１ｂと大径円孔部４１ｃとの境界となる境界面４１ｆよりも上方に位置するように形成されている。また、小径円孔部４１ａと中径円孔部４１ｂとの境界となる部分は、境界面４１ｇとなっている。小径円孔部４１ａの内周面と境界面４１ｇとが合わさる角部にはテーパ４１ｈが全周に亘って形成されている。
【００２５】
また、段部４１ｅには、裏板１５に設けられた取り付け孔１５ｒに対応するように、８個のネジ穴４１ｊが形成されている。さらに、境界面４１ｆにも、ネジ穴４１ｋが周方向に沿って４５度おきに８個設けられている。これらネジ穴４１ｋのそれぞれは、それぞれのネジ穴４１ｊに対して、周方向に沿って２２．５度ずらして形成されている。
【００２６】
また、図９に示すように、磁気回路ハウジング４０は、その正八面体を形成する８つの外周面４０ｆを有している。また、磁気回路ハウジング４０は、アルミニウムからできており、八角形の対向する辺の間の距離が１５０．８ｍｍとなっている。ただし、当該距離は、１５０．８ｍｍに限定されるものではない。
【００２７】
図１２に示すように、スクリーン１２の裏面１２ａには、磁気回路ハウジング４０の位置と対応するように、３つのボイスコイル５２が配置されている。ボイスコイル５２は、スクリーン１２を駆動させる駆動体５０の一部を構成するもので、所定の寸法のコイルボビン５３に、コイル線を巻きつけることにより形成されている。また、図３に示すように、スクリーン１２の裏面１２ａには、入力端子５４を固定するための端子フランジ５５が取り付けられている。そして、ボイスコイル５２が巻回されたコイルボビン５３を端子フランジ５５に設けられた凹部５５ａに装着する。以上のようにして、ボイスコイル５２は、スクリーン１２の裏面１２ａに配置されている。また、図１１および図１２に示すように、スクリーン１２の裏面１２ａにおける各分割部１４ａの四隅近傍に対応する位置には、４つの圧電素子７０が配置されている。すなわち、スクリーンスピーカシステム１０には、各分割部１４ａに４個ずつ、合計１２個の圧電素子７０が配置されている。
【００２８】
また、裏板１５に形成された２つの端子用孔１５ｑのそれぞれに入力端子基板が装着（不図示）され、スクリーン１２の裏面１２ａに取り付けたボイスコイル５２と圧電素子７０のそれぞれに入力するための入力信号用のリード線（不図示）が、裏板１５の表面に這うように取り付けられている。そして、一方のリード線（不図示）の一端は、ボイスコイル５２の入力端子５４接続され、他方のリード線（不図示）の一端は、圧電素子７０の入力端子７２に接続されている。また、各リード線（不図示）の他端は、それぞれの入力端子用基板（不図示）に接続されている。
【００２９】
図３（ａ）に示すように、筐体１４に磁気回路ハウジング４０を配置させ、かつスクリーン１２を筐体１４に取り付けた状態で、図３（ｂ）に示すように、裏板１５の裏側から、磁気回路３０を磁気回路ハウジング４０の円孔４１に、マグネット３２の角部３１ｆが磁気回路ハウジング４０の境界面４１ｇに当接するまで挿入される。このようにして、ボイスコイル５２は、磁気回路３０に形成された空隙部３０ｄの内部に配置される。次に、上記のように磁気回路３０が所定の位置に配置された状態で、当該磁気回路３０を保持するための中心孔を有する円板状の保持板３３を、図３における磁気回路３０の上方から磁気回路ハウジング４０の大径円孔部４１ｃに嵌め込む。保持板３３には、磁気回路ハウジング４０に形成されているネジ穴４１ｋに対応するように円周方向に８個のネジ孔３３ａが設けられている。このため、当該ネジ孔３３ａにネジを挿通させて、ネジ穴４１ｋにて保持板３３を磁気回路ハウジング４０に対してネジ止めできる。以上のようにして、図３（ｂ）に示すように、磁気回路３０は筐体１４内に収納される。
【００３０】
次に、スクリーンスピーカシステム１０の駆動システムについて説明する。
【００３１】
図１２に示すように、スクリーンスピーカシステム１０には、各分割部１４ａに、１個のボイスコイル５２と４個の圧電素子７０ずつ、合計３個のボイスコイル５２と１２個の圧電素子７０が配置されている。ボイスコイル５２は、圧電素子７０との比較において低周波数帯域で駆動させると共に、圧電素子７０を高周波帯域で駆動させる（以下の説明において、ボイスコイル５２を駆動させることは、駆動体５０を駆動させることの意味も含まれる。）。このように、ボイスコイル５２と圧電素子７０を併用することにより、スクリーンスピーカシステム１０は広い周波数帯域で駆動される。
【００３２】
スクリーンスピーカシステム１０の駆動回路７４の構成は、図１３に示すように、ボイスコイル５２と圧電素子７０に対する共通の入力手段７５から信号が出力されており、ボイスコイル５２と圧電素子７０は、入力手段７５に対して並列に接続されている。ボイスコイル５２用の信号は、信号増幅器（第１の増幅器）７６によって増幅された後、ボイスコイル５２に入力される。一方、圧電素子７０用の信号は、ハイパスフィルタおよびローパスフィルタを有するフィルタ回路（バンドフィルタ）７７に入力され、当該フィルタ回路７７によって適した周波数帯域とされる。その後、フィルタ回路７７から出力された信号は、信号増幅器（第２の増幅器）７８に入力され、当該信号増幅器７８によって増幅されて、圧電素子７０に入力される。ここで、フィルタ回路７７は、元の信号の周波数帯域の内、比較的高い周波数側の帯域を通す。このため、圧電素子７０をボイスコイル５２に比べて、高音再生帯域で使用することになる。
【００３３】
本実施の形態では、各分割部１４ａには、４つの圧電素子７０が配置されている。したがって、スクリーンスピーカ１０の構成に対応させるため、４つの圧電素子７０をスクリーン１２の裏面１２ａに配置させ、それぞれの圧電素子７０の入力を信号増幅器７８の出力とパラレル接続させている。また、駆動回路７４は、各分割部１４ａに対してそれぞれ１つずつ設けられている。
【００３４】
図１４に示すように、スクリーンスピーカシステム１０の周波数特性は、ボイスコイル５２のみを駆動させた場合には、図１４（ａ）に示すように、２００Ｈｚ〜１０ｋＨｚの周波数帯域にかけて安定した出力音圧を示す。また、圧電素子７０のみを駆動させた場合には、図１４（ｂ）に示すように、２ｋＨｚ〜１５ｋＨｚの周波数帯域にかけて、安定した出力音圧を示している。そして、これらを併用して駆動させた場合には、図１４（ｃ）に示すように２００Ｈｚ〜１５ｋＨｚの周波数帯域にかけて比較的安定した出力音圧を示している。したがって、スクリーンスピーカシステム１０において、ボイスコイル５２のみによってスクリーン１２を駆動させる場合と比較して、ボイスコイル５２と圧電素子７０とを併用してスクリーン１２を駆動させることにより、高音域における周波数特性を良くすることが可能となる。
【００３５】
以上のように構成されたスクリーンスピーカシステム１０では、圧電素子７０をスクリーン１２の裏面１２ａに配置させ、ボイスコイル５２と併用することにより、ボイスコイル５２のみによって駆動させた場合と比較して、高周波側の周波数帯域を４０％近く広げることが可能となる。したがって、高音域において安定した音圧を得ることができ、立体的で臨場感あふれる音響効果を得ることが可能となる。
【００３６】
また、スクリーンスピーカシステム１０では、高音域においては、ボイスコイル５２を駆動させることなく、圧電素子７０のみによって、スクリーンスピーカシステム１０を駆動させることが可能となる。
【００３７】
また、スクリーンスピーカシステム１０では、ボイスコイル５２は、スクリーン１２における各分割部１４ａの中央となる位置に配置されている。したがって、ボイスコイル５２が磁気回路３０に対して垂直に振幅することが可能となる。そのため、ボイスコイル５２が、磁気回路３０に対して斜めに振幅するのを防止できる。したがって、空隙部３０ｄの寸法を小さくすることが可能となり、磁気回路３０の小型化を図ることができる。さらに、ボイスコイル５２は、低音域の再生において、容易に大きな振幅を得ることができる。
【００３８】
また、スクリーンスピーカシステム１０では、圧電素子７０を駆動させることにより高音域の再生を行っている。また、高音域においてボイスコイル５２を駆動させた場合に発生する発熱量と比較して、高音域において圧電素子７０を駆動させた場合に発生する発熱量は少ない。したがって、スクリーン１２の熱膨張を抑制できる。
【００３９】
また、スクリーンスピーカシステム１０では、圧電素子７０をボイスコイル５２に対し並列的に接続し、且つ、ボイスコイル５２と圧電素子７０の各入力側に信号増幅器７６，７８を別個に備えるようにし、高音域の再生を圧電素子７０の駆動によって行っている。したがって、圧電素子７０の音圧および周波数帯域の調整をボイスコイル５２とは別個独立に行うことができる。このため、駆動効率を向上させることができると共にコストの低減を図ることが可能となる。
【００４０】
以上、本発明の一実施の形態について説明したが、本発明はこれ以外にも種々変形可能となっている。以下、それについて述べる。
【００４１】
上述の実施の形態では、圧電素子７０を各分割部１４ａの四隅近傍に４つ配置させて高周波帯域の駆動を行っているが、これに限られることなく、例えば、ボイスコイル５２の外側に円周状に配置させる等、圧電素子７０を他の所望の位置に配置させるようにしても良い。また、圧電素子７０の個数を４つに限らず、５つ以上としても良いし、３つ以下としても良い。
【００４２】
また、上述の実施の形態では、スクリーンスピーカシステム１０の駆動回路７４によって駆動させているが、かかる回路構成には限定されない。例えば、図１５に示すように、信号増幅器８２の出力をボイスコイル５２の入力に接続し、当該信号増幅器８４の出力をコンデンサ９０に接続し、コンデンサ９０の出力を圧電素子７０の入力に接続するような構成の駆動回路８０を採用しても良い。また、駆動回路８０を用いてスクリーン１２を駆動させた場合には、信号増幅器８４が設けられているため、圧電素子７０への入力信号をボイスコイル５２への入力信号とは別個独立に増幅させることが可能となる。また、コンデンサ９０の替わりに、フィルタ回路７７を配置させることにより低周波を除去するようにしても良い。
【００４３】
なお、例えば、１つの信号増幅器の出力側を分岐して、ボイスコイル５２と圧電素子７０を並列に接続すると共に、圧電素子７０の直前に、コンデンサを備える回路も考えられるが、かかる回路において圧電素子７０に高周波の電流を流すと、当該コンデンサのインピーダンスが低下し、圧電素子７０に過大な電流が流れ、当該圧電素子７０を破壊してしまうおそれがある。このため、圧電素子７０の入力側に、ボイスコイル５２とは別個の信号増幅器７８を備える必要がある。
【００４４】
また、上述の実施の形態では、４つの圧電素子７０には、全て同じ周波数特性を有する圧電素子７０が採用されているが、これに限られることなく、異なった周波数特性を有する圧電素子７０を併用することで、駆動回路７４の構成をいわゆる３ＷＡＹ化、４ＷＡＹ化またはそれ以上とするようにしても良い。
【００４５】
また、上述の実施の形態では、分割部１４ａは、筐体１４の内部に３つ設けられているが、これに限らず、２つあるいは、４つ以上としても良い。さらには分割しなくても良い。また、中桟１８を側枠１７の短手方向および長手方向に複数配置させ、中桟１８のみによって囲まれた部分を分割部とするようにしても良い。
【００４６】
また、上述の実施の形態では、スクリーン１２と裏板１５との間にサスペンション機能を持たせていないが、例えば、スクリーン１２と裏板１２との間に独立発砲ゴム等を材質とするクッション材を配置するようにしても良い。スクリーン１２と裏板１５との間にサスペンション機能を持たせることにより、スクリーン１２がより安定した振動を行えるようになる。
【００４７】
また、上述の実施の形態では、４つの圧電素子７０は、信号増幅器７８に対してパラレル接続させているが、これに限られることなく、圧電素子７０の数に対応させるように４つの信号増幅器７８を配設し、圧電素子７０をそれぞれの信号増幅器７８に接続するようにしても良い。また、信号増幅器７８に限らず、フィルタ回路７７も圧電素子７０の数に対応させるように配設するようにしても良い。
【産業上の利用可能性】
【００４８】
本発明のスクリーンスピーカは、スクリーンの全面より音を放出するスピーカ等の音響変換装置において利用することができる。
【図面の簡単な説明】
【００４９】
【図１】本発明の一実施の形態に係るスクリーンスピーカを示す斜視図である。
【図２】本発明の一実施の形態に係るスクリーンスピーカからスクリーンを取り除いた状態を示す斜視図である。
【図３】本発明の一実施の形態に係るスクリーンスピーカに使用される駆動体近傍の部分を示す図であり、（ａ）は、駆動体を分解した状態を示す断面図であり、（ｂ）は、駆動体を組み立てた状態を示す断面図である。
【図４】本発明の一実施の形態に係るスクリーンスピーカの筐体を示す斜視図である。
【図５】図３中の筐体を構成する裏板を示す斜視図である。
【図６】本発明の一実施の形態に係るスクリーンスピーカの筐体おいて裏板を枠体に装着する状態を示す分解斜視図である。
【図７】図６中の矢示Ｂで示す部分の拡大図である。
【図８】図１中のＫ−Ｋ線で切断した部分の部分断面図である。
【図９】図２に示す、磁気回路ハウジングを上方から見た場合の斜視図である。
【図１０】駆動体の構成を示す図であり、（ａ）は、駆動体を組み立てる前の分解斜視図であり、（ｂ）は、駆動体を組み立てた状態で、裏板の裏側から見た場合の斜視図である。
【図１１】図１中のＮ−Ｎ線で切断した断面図である。
【図１２】スクリーンスピーカにおいて用いられるボイスコイルと圧電素子の位置関係を示す概略図である。
【図１３】図１に示す、スクリーンスピーカシステムの駆動回路の構成を示す図である。
【図１４】図１に示す、スクリーンスピーカシステムの周波数特性を示す図であり、（ａ）は、スクリーンスピーカシステムをボイスコイルのみによって駆動させた場合を示す図であり、（ｂ）は、スクリーンスピーカシステムを、圧電素子のみによって駆動させた場合を示す図であり、（ｃ）は、スクリーンスピーカシステムを、図１３に示す駆動回路によって駆動させた場合を示す図である。
【図１５】本発明のスクリーンスピーカシステムの駆動回路の変形例を示す図である。
【符号の説明】
【００５０】
１０…スクリーンスピーカシステム
１２…スクリーン
３０…磁気回路
５０…駆動体
５２…ボイスコイル
７０…圧電素子
７６，８２…信号増幅器（第１の増幅器）
７７…フィルタ回路
７８，８４…信号増幅器（第２の増幅器）
【図１】
2006319626.tif 000003
【図２】
2006319626.tif 000004
【図３】
2006319626.tif 000005
【図４】
2006319626.tif 000006
【図５】
2006319626.tif 000007
【図６】
2006319626.tif 000008
【図７】
2006319626.tif 000009
【図８】
2006319626.tif 000010
【図９】
2006319626.tif 000011
【図１０】
2006319626.tif 000012
【図１１】
2006319626.tif 000013
【図１２】
2006319626.tif 000014
【図１３】
2006319626.tif 000015
【図１４】
2006319626.tif 000016
【図１５】
2006319626.tif 000017